(57)【要約】【課題】  着用者の臀部を、股下より上にかけて左右に分離、尻肉の下肉部分を左右に分散して、より高度な立体性をもつ美しい丸みのある左右ヒップを現出させるガードルを得る。【解決手段】  左右臀部布１，２の股下部に、Ｖカット２０ｂを有する股下あて布２０を縫合し、そのＶカット２０ｂの谷Ｖにシャーリング３０の一端を結着して、股下あて布２０を、着用者Ｍの左右臀部１，２の割れ目溝部に沿って密着させる。【選択図】図１
0003162292.tif 000002
【実用新案登録請求の範囲】
【請求項１】
着用者（Ｍ）の左臀部と右臀部とを別々に覆い、それらの臀部の割れ目溝部に沿って縫合（７）される左右臀部布（１，２）と、
前記左右臀部布（１，２）の股下部分に縫合される、Ｖカット部（２０ｂ）を有する股下あて布（２０）と、
前記左右臀部布（１，２）の縫合（７）部に、該縫合（７）部を伸ばした状態でそこにゴム条を入れて縫合されるシャーリング（３０）とを備え、
前記股下あて布（２０）のＶカット部（２０ｂ）は、その谷（Ｖ）が前記左右臀部布（１，２）の縫合線上にあって、その谷（Ｖ）に前記シャーリング（３０）の一端が結着され、
前記シャーリング（３０）の収縮力により、前記股下あて布（２０）を左右臀部布（１，２）と共に、着用者（Ｍ）の左右臀部の割れ目溝部に密着させるようにしたことを特徴とする、下着。
【請求項２】
前記股下あて布（２０）は、伸縮性、柔軟性を有するメッシュ布により形成されることを特徴とする、前記請求項１記載の下着。
【請求項３】
ガードル（Ｇ）よりなる、前記請求項１または２記載の下着。
【考案の詳細な説明】
【技術分野】
【０００１】
本考案は、使用者が着用したときに、その左臀部と右臀部とを別々に左右に鮮明に区分けして、縦長にすっきりと割け、美しい丸みのある立体感のあるヒップを現出させるようにした、ガードル、ショーツなどの下着に関する。
【背景技術】
【０００２】
従来、ヒップアップ効果を高めるようにした、ガードルは公知である（後記特許文献参照）。
【先行技術文献】
【特許文献】
【０００３】
【特許文献１】特開平６−３７３０６号のＣＤ−ＲＯＭ
【考案の概要】
【考案が解決しようとする課題】
【０００４】
ところで、前記特許文献１に開示されるガードルは、身体の臀部を覆う臀部覆い部と、この臀部覆い部の上方に形成される背覆い部とを備え、着用者が臀部覆い部に設けられる吊り上げ部により、その臀部覆い部を引張り上げ、その吊り上げ状態で、その吊り上げ部を固定手段により背覆い部分に固定することにより、ヒップアップ効果を得るようにしているので、着用者は、ガードルの着用後、その上縁部を手で上方に引張り上げる操作をしなければならず、その操作が面倒であるばかりでなく、引張力の加減が難しく、引張り過ぎて肌を傷めたり、引張不足で上方への引張りが緩み、着用後の所期のヒップアップ効果が得られなくなってしまうという問題がある。
【０００５】
そこで、本考案は、着用が容易であり、着用するだけで、Ｖカット部を有する股下あて布とシャーリングの協働作用により、左右臀部を左右に分離、尻肉の下肉部分を左右に分散して、より高度な立体性をもつヒップ、すなわち美しい桃尻を現出できるよにした、新規なガードル、ショーツなどの下着を提供することを目的とする。
【課題を解決するための手段】
【０００６】
前記目的を達成するために、請求項１記載の考案は、着用者の左臀部と右臀部を別々に覆い、それらの臀部の割れ目溝部に沿って縫合される左右臀部布と、前記左右臀部布の股下部分に縫合されるＶカット部を有する股下あて布と、前記左右臀部布の縫合部に、該縫合部を伸ばした状態でそこにゴム条を入れて縫合されるシャーリングとを備え、
前記股下あて布のＶカット部は、その谷が前記左右臀部布の縫合線上にあって、その谷に前記シャーリングの一端が結着され、
前記シャーリングの収縮力により、前記股下あて布を左右臀部布と共に、着用者の左右臀部の割れ目溝部に密着させるようにしたことを特徴としている。
【０００７】
前記目的を達成するために、請求項２記載の考案は、前記請求項１記載の下着において、前記股下あて布は、伸縮性、柔軟性を有するメッシュ布により形成されることを特徴としている。
【０００８】
前記目的を達成するために、請求項３記載の考案は、前記請求項１または２記載の下着において、ガードルよりなることを特徴としている。
【考案の効果】
【０００９】
請求項各項記載の考案によれば、左右臀部布の股下部に、Ｖカット部を有する股下あて布を縫合し、そのＶカット部の谷に、左右臀部布の縫合部に施されるシャーリングの一端を結着したので、着用するだけで、Ｖカット部を有する股下あて布を、着用者の左右臀部の割れ目溝部に沿って密着させることができ、これにより、着用者の股下臀部肉を股下より上にかけて鮮明に左右に分離、分散させて、足長で立体化した美しい丸みのある左右ヒップ、すなわち桃尻を現出させ、しかも、それを高い位置にヒップアップさせることができる。
【００１０】
また、請求項２記載の考案によれば、股下あて布は、伸縮性、柔軟性のあるメッシュ布で形成されるので、通気性が良く蒸れることがない。
【図面の簡単な説明】
【００１１】
【図１】着用時のガードルを斜め後方から見た斜視図
【図２】図１の２矢視のガードルの正面図
【図３】ガードルの分解斜視図
【図４】図１の４矢視のガードルの内面底部の拡大部分図
【図５】ガードルを構成する布群を分解展開した状態を示す図
【図６】（Ａ）は図２の６（Ａ）−６（Ａ）に沿う断面図、（Ｂ）は（Ａ）の（Ｂ）矢視図
【図７】図６（Ａ）の７矢視図
【考案を実施するための形態】
【００１２】
本考案の実施の形態を、添付図面に例示した本考案の実施例に基づいて以下に具体的に説明する。
【００１３】
この実施例は、本考案下着を、腹部、ヒップ、太股部を覆い、腹部を押さえる機能をもつガードルＧに実施した場合であって、このガードルＧは、左臀部布１と、右臀部布２と、フロント布１０と、Ｖカット部２０ｂを有する股下あて布２０と、左右の臀部布１，２の縫合部を伸ばした状態にしてそれらを縫合線に沿ってゴム条を入れて縫合されるシャーリング３０とを備える。
【００１４】
左、右臀部布１，２は、着用者Ｍの左側および右側の腰部、臀部、太股部までをそれぞれ覆うように形成されていて、図１に示すように、それらの後縁どうしが着用者Ｍの左右臀部の割れ目溝部に沿って縫合７されている。図２，３に示すように、左右臀部布１，２の太股部を覆う下半部はそれぞれ筒状に形成されて、それらの内側縁（太股部の内側）１ａ，１ｂ；２ａ，２ｂどうしが帯状の股下まち布３，４を介してそれぞれ相互に縫合される。また、左右臀部布１，２の、股下後縁１ｄ，２ｄ（後述の股下あて布２０のＶカット部２０ｂが縫合される）は、それらに跨がって当て布５が縫合される。なお、この当て布５は省略してもよい。
【００１５】
図２，３に示すように、前記フロント布１０は、着用者Ｍの腹部を覆うもので、その左、右両側縁１０ａ，１０ａが、左、右臀部布１，２の前側縁１ｆ，２ｆに、それぞれ縫合される。フロント布１０の前面には、刺繍などを施した装飾布１１が重ね縫合される。
【００１６】
図４，５に示すように、前記股下あて布２０は、柔軟性、伸縮性を有するメッシュ布により、正面視バチ形状に形成されていて、その前縁２０ａが、外方に凸の円弧状に、またその後縁２０ｂが、前記前縁２０ａより幅狭で、その幅方向中央に谷Ｖを有するＶカット部に、さらにその両側縁２０ｃ，２０ｃが凹の円弧状に形成されている。
【００１７】
しかして、股下あて布２０は、着用者Ｍの局部に対応する部分であり、該部に違和感を与えることがなく、かつ通気性をよくするために、伸縮性、柔軟性のあるメッシュ布により形成されており、前記左、右臀部布１，２の股下部分に縫合される。すなわち、図４に示すように、その凸状円弧の前縁２０ａ、Ｖカット部の後縁２０ｂおよび凹状円弧の左右側縁２０ｃ，２０ｃは、左、右臀部布１，２の股下前縁１ｃ，２ｃ、股下後縁１ｄ，２ｄ、および股下側縁１ｅ，２ｅにそれぞれ縫合されて、着用者Ｍの股下に位置して着用者Ｍの局部を保護する。
【００１８】
着用者Ｍが、ガードルＧを着用したとき、Ｖカット部２０ｂを有する股下あて布２０は、シャーリング３０と協働して、左、右臀部布１，２の股下部分が、着用者Ｍの左右尻たぶを丸みをもたせて覆うと共に着用者Ｍの左右臀部の境界部、すなわちそれらの割れ目溝部に沿い鮮明な切込みを入れるようにされる。
【００１９】
図４，５に示すように、前記シャーリング３０は、左右の臀部布１，２の縫合部７を伸ばした状態にしてゴム条を入れて縫合することで得られるものであり、このシャーリング３０の一端は、股下あて布２０の、後縁２０ｂ、すなわちＶカット部の谷Ｖに結着される。これにより、股下あて布２０の後縁２０ｂ、すなわちＶカット部は、シャーリング３０の収縮力により引っ張られ、これにより、図６，７に示すように、ガードルＧの着用時には、股下あて布２０を左右臀部布１，２の後縁と共に引張り上げて、着用者Ｍの左右臀部の割れ目溝部に密着させることができる。また、シャーリング３０の一端が、股下あて布２０のＶカット部２０ｂの谷Ｖに結着されることにより、シャーリング３０の実質的な長さを長くすることができ、シャーリング３０による股下あて布２０の、前記割れ目溝部への密着が助長される。
【００２０】
つぎに、この実施例の作用について説明すると、左右臀部布１，２の股下部に、Ｖカット部Ｖを有する股下あて布２０を縫合し、そのＶカットの谷Ｖにシャーリング３０の一端を結着したことで、ガードルＧを着用者Ｍが着用したときに、股下あて布２０を、着用者Ｍの左右臀部の割れ目溝部に沿って密着させることができ、これにより着用者Ｍの臀部をその股下より上にかけて鮮明に左右に分離、分散させ、足長で、立体化した美しい丸みのある左右ヒップ、すなわち桃尻を現出させ、しかも、それを高い位置にヒップアップさせることができる。その上、シャーリング３０は、着用者Ｍの局部には至っておらず、しかも局部の当たる股下あて布２０は、伸縮性、柔軟性のあるメッシュ布で形成されるので、着用者Ｍは長期に使用しても違和感を感じたり、痛みを感じることがなく、しかも通気性が良く蒸れることがない。
【００２１】
以上、本考案の一実施例について説明したが、本考案はその実施例に限定されることなく、本考案の範囲内で種々の実施例が可能である。
【００２２】
たとえば、前記実施例では、本考案をガードルに実施した場合について説明したが、これをショーツ、コルセットその他の下着にも実施できることはことは勿論であり、また、この下着は、女性用としての外に、男性用としても適用可能である。
【符号の説明】
【００２３】
１・・・・・・・・・・左臀部布
２・・・・・・・・・・右臀部布
７・・・・・・・・・・縫合
２０・・・・・・・・・・股下あて布
２０ｂ・・・・・・・・・後縁（Ｖカット部）
３０・・・・・・・・・・シャーリング
Ｇ・・・・・・・・・・ガードル
Ｍ・・・・・・・・・・着用者
Ｖ・・・・・・・・・・谷
【図１】
0003162292.tif 000003
【図２】
0003162292.tif 000004
【図３】
0003162292.tif 000005
【図４】
0003162292.tif 000006
【図５】
0003162292.tif 000007
【図６】
0003162292.tif 000008
【図７】
0003162292.tif 000009